(57)【要約】【課題】インターロック機能と使い勝手とを兼ね備えたバスダクト分岐装置を提供する。【解決手段】遮断器ＣＢを箱体２２内部に有し、バスダクト１０に取り付けられた際に電力を分岐させるバスダクト分岐装置２０であって、遮断器ＣＢの開閉を切り替え可能に動く電源スイッチ５０と、バスダクト１０に対するバスダクト分岐装置２０の着脱の少なくとも一方を阻害する状態と阻害しない状態とを切り替え可能に動く阻害部として機能するクランク８０の係止部８２と、電源スイッチ５０の動きを阻害部に伝達し、電源スイッチ５０の動きに連動させて阻害部を動作させる連動部として機能するハンドル７０、クランク８０の基部８１及び接続片部８５を有することを特徴とする。【選択図】図５
2020018111.tif 000002
【特許請求の範囲】
【請求項１】
遮断器を本体内部に有し、バスダクト幹線に取り付けられた際に電力を分岐させるバスダクト分岐装置であって、
前記遮断器の開閉を切り替え可能に動く電源スイッチと、
前記バスダクト幹線に対する前記バスダクト分岐装置の着脱の少なくとも一方を阻害する状態と阻害しない状態とを切り替え可能に動く阻害部と、
前記電源スイッチの動きを前記阻害部に伝達し、該電源スイッチの動きに連動させて該阻害部を動作させる連動部とを有することを特徴とするバスダクト分岐装置。
【請求項２】
前記阻害部により前記バスダクト分岐装置の着脱の少なくとも一方が阻害される際に該阻害部にかかる力の方向と、前記連動部の動きの方向とが一致しないことを特徴とする請求項１に記載のバスダクト分岐装置。
【請求項３】
前記阻害部は、直接には動かし難く、前記電源スイッチ側からは動かし易いことを特徴とする請求項１又は２に記載のバスダクト分岐装置。
【請求項４】
前記阻害部が、前記バスダクト分岐装置を前記バスダクト幹線に固定する固定部としても機能することを特徴とする請求項１乃至３の何れかに記載のバスダクト分岐装置。
【発明の詳細な説明】
【技術分野】
【０００１】
本発明は、バスダクト分岐装置に関し、例えば、プラグインホールが設けられたバスダクトに取り付けられる分岐装置に関する。
【背景技術】
【０００２】
従来から、建物の電気幹線としてバスダクトが利用されている。また、このバスダクトに流れる電力を設備機器や分電盤などに分岐するバスダクト分岐装置（以下、単に「分岐装置」）が知られており、例えば、特許文献１には、その構成が開示されている。特許文献１に記載の分岐装置は、接触子が突設されており、バスダクトのハウジングに設けられたプラグインホールに接触子を挿入し、ハウジングに支持されているバスダクト導体に接続させた後に遮断器のスイッチをＯＮにすることで、バスダクト導体に流れる電流を分岐できるようになっている。
【０００３】
また、特許文献２には、上記のような分岐装置において、遮断器のスイッチがＯＮ状態だとバスダクトに対する分岐装置の着脱ができない所謂インターロック構造が提案されている。この特許文献２の分岐装置は、遮断器のスイッチがＯＮ状態の際に突設される棒（表示杵・表示部材）が分岐装置の取付部の動きを阻害するようになっている。
【先行技術文献】
【特許文献】
【０００４】
【特許文献１】特開２００４−１０４８９６公報
【特許文献２】特開昭５７−２１０８２号公報
【発明の概要】
【発明が解決しようとする課題】
【０００５】
しかしながら、上述した特許文献２の分岐装置は、バスダクトを把持する位置に取付部が配置されている場合（特許文献２の図３、６、７に示す場合）には、自由に表示杵を出し入れできる（遮断器のスイッチを自由にＯＮ／ＯＦＦできる）ものの、バスダクトを開放する位置に取付部が配置されている場合（特許文献２の図４、５に示す場合）には、表示杵を出すことができない（遮断器のスイッチをＯＮにできない）。
【０００６】
そして、特許文献２の分岐装置は、バスダクトに取り付ける前や一旦取り付けたものを取り外した際には取付部はバスダクトを開放する位置に配置されていることが多いため、その状態で遮断器の動作確認をしようとしても、表示杵の動きが阻害されて遮断器のスイッチをＯＮにできず使い勝手が悪いという側面があった。
【０００７】
本発明は上記課題を解消するために提案するものであって、インターロック機能と使い勝手とを兼ね備えたバスダクト分岐装置を提供することにある。
【課題を解決するための手段】
【０００８】
上記課題を解決するためになされた本発明は、遮断器を本体内部に有し、バスダクト幹線に取り付けられた際に電力を分岐させるバスダクト分岐装置であって、前記遮断器の開閉を切り替え可能に動く電源スイッチと、前記バスダクト幹線に対する前記バスダクト分岐装置の着脱を阻害する状態と阻害しない状態とを切り替え可能に動く阻害部と、前記電源スイッチの動きを前記阻害部に伝達し、該電源スイッチの動きに連動させて該阻害部を動作させる連動部とを有することを特徴とする。
【０００９】
上記の構成によれば、遮断器の電源スイッチが閉（ＯＮ）の状態で分岐装置がバスダクトに取り付けられたり、バスダクトから取り外されたりすることが防止されると共に、例えば遮断器の電源スイッチの動作確認や試験も自由に執り行うことができる。
すなわち、本発明では、上記の連動部により、バスダクト分岐装置の着脱を阻害する状態と阻害しない状態とを切り替え可能に動く阻害部が、電源スイッチの動きに連動して動作できる。そのため、本発明の分岐装置は、例えば、バスダクト幹線から分岐装置を取り外した状態においても、作業者が遮断器の電源スイッチをＯＦＦ（開）からＯＮ（閉）、又はＯＮ（閉）からＯＦＦ（開）に自由に動かすことができる。
【００１０】
また、前記阻害部により前記バスダクト分岐装置の着脱の少なくとも一方が阻害される際に該阻害部にかかる力の方向と、前記連動部の動きの方向とが一致しないことが望ましい。
【００１１】
上記の構成によれば、バスダクト分岐装置の着脱が阻害される際に阻害部にかかる力によって連動部が動きにくい、或いは動かないようにできるため、インターロックとしての機能をより向上できる。
【００１２】
また、前記連動部は、前記電源スイッチの動きを前記阻害部に伝達し易く、且つ、前記阻害部の動きを前記電源スイッチに伝達し難い、又は前記阻害部の動きを前記電源スイッチに伝達しないようになっていることが望ましい。この構成によれば、バスダクト分岐装置の着脱が阻害される際に阻害部にかかる力によって電源スイッチが切り替わり難い、或いは切り替わらないようにできるため、インターロックとしての機能をより向上できる。
【００１３】
また、前記阻害部は、直接には動かし難く、前記電源スイッチ側からは動かし易いことが望ましい。この構成によれば、バスダクト分岐装置を取り扱う際に、動かされ難い位置に阻害部が設けられている、或いは、仮に阻害部をぶつけるようなことがあっても容易には動かないようになっているため、動いてしまった阻害部を戻すような手間がかからない。その一方で、電源スイッチ側から連動部を介して阻害部を動かすことは容易である。すなわち、使い勝手が良い。
【００１４】
また、前記阻害部が、前記バスダクト分岐装置を前記バスダクト幹線に固定する固定部としても機能することが望ましい。
【００１５】
この構成によっても、遮断器の電源スイッチが閉（ＯＮ）の状態で分岐装置がバスダクトに取り付けられたり、バスダクトから取り外されたりすることが防止されると共に、例えば遮断器の電源スイッチの動作確認や試験も自由に執り行うことができる。更には、阻害部が固定部の機能も有しているので、電源スイッチのＯＮ／ＯＦＦで固定部による固定を切り替えられるため、より使い勝手が良い。
【発明の効果】
【００１６】
本発明によれば、遮断器の電源スイッチが閉（ＯＮ）の状態で分岐装置がバスダクトに取り付けられたり、バスダクトから取り外されたりすることが防止されると共に、例えば遮断器の電源スイッチの動作確認や試験も自由に執り行うことができ、インターロック機能と使い勝手とを兼ね備えたバスダク分岐装置を提供することができる。
【図面の簡単な説明】
【００１７】
【図１】本発明の第１実施形態のバスダクトシステムを構成するバスダクトを示した模式図であり、（a）がバスダクトを上面から見た模式図であり、（ｂ）がバスダクトを側面から見た模式図である。
【図２】本発明の第１実施形態のバスダクトを構成するバスダクトユニットの断面を示した模式図である。
【図３】本発明の第１実施形態のバスダクトを構成する接続ユニットの断面を示した模式図である。
【図４】本発明の第１実施形態のバスダクト分岐装置を上面から見た模式図である。
【図５】本発明の第１実施形態のバスダクト分岐装置を側面から見た模式図である。
【図６】本発明の第１実施形態のバスダクト分岐装置を前面から見た模式図である。
【図７】本発明の第１実施形態のバスダクト分岐装置をバスダクトに取り付ける工程を説明するための模式図であり、バスダクト分岐装置をバスダクトに取り付けている最中の状態を示している。
【図８】本発明の第１実施形態のバスダクト分岐装置をバスダクトに取り付ける工程を説明するための模式図であり、バスダクト分岐装置がバスダクトに取り付けられ、且つバスダクト分岐装置の遮断器の電源スイッチがＯＦＦの状態を示している。
【図９】本発明の第１実施形態のバスダクトシステムを側面から見た模式図であり、バスダクトにバスダクト分岐装置が取り付けられて固定され、且つバスダクト分岐装置の遮断器の電源スイッチがＯＮの状態を示している。
【図１０】本発明の第１実施形態のバスダクトシステムのバスダクト分岐装置とバスダクトとの接続部分を示した模式図である。
【図１１】本発明の第１実施形態のクランクの変形例を示した模式図であり、（ａ）がクランクの第１変形例を示した模式図であり、（ｂ）がクランクの第２変形例を示した模式図である。
【図１２】本発明の第１実施形態のバスダクト分岐装置にガイドを設けた変形例を説明するための模式図であり、（ａ）がガイドを設けたバスダクト分岐装置の模式図であり、（ｂ）がガイドを設けたバスダクト分岐装置に対応するバスダクトを示した模式図である。
【図１３】本発明の第１実施形態のバスダクト分岐装置にガイドを設けた変形例を説明するための模式図であり、バスダクト分岐装置がバスダクトに取り付けられた状態を示している。
【図１４】本発明の第２実施形態のバスダクトシステムのバスダクト分岐装置の遮断器の電源スイッチがＯＮになっている状態を示した模式図であり、（ａ）が第２実施形態のバスダクトシステムを構成するバスダクト分岐装置の遮断器を上方から見た模式図であり、（ｂ）が第２実施形態のバスダクトシステムの断面を示した模式図である。
【図１５】本発明の第２実施形態のバスダクトシステムのバスダクト分岐装置の遮断器の電源スイッチがＯＦＦになっている状態を示した模式図であり、（ａ）が第２実施形態のバスダクトシステムを構成するバスダクト分岐装置の遮断器を上方から見た模式図であり、（ｂ）が第２実施形態のバスダクトシステムの断面を示した模式図である。
【図１６】本発明の第３実施形態のバスダクトシステムを構成するバスダクトを示した模式図である。
【図１７】本発明の第３実施形態のバスダクトシステムを構成するバスダクト分岐装置を示した模式図であり、（ａ）が遮断器の電源スイッチがＯＦＦになっている状態を示した模式図であり、（ｂ）が遮断器の電源スイッチがＯＮになっている状態を示した模式図である。
【発明を実施するための形態】
【００１８】
以下、本発明の実施形態のバスダクト分岐装置を有するバスダクトシステムについて図面に基づいて説明する。尚、本発明のバスダクトシステムは、以下の実施形態（第１〜３実施形態）及びその変形例に限定されるものではない。
【００１９】
《第１実施形態》
先ず、第１実施形態のバスダクト分岐装置を有するバスダクトシステムの全体構成について、図１〜３、図９〜１０を用いて説明する。
【００２０】
ここで、図１は、第１実施形態のバスダクトシステムを構成するバスダクトを示した模式図であり、（a）がバスダクトを上面から見た模式図であり、（ｂ）がバスダクトを側面から見た模式図である。図２は、第１実施形態のバスダクトを構成するバスダクトユニットの断面を示した模式図である。図３は、第１実施形態のバスダクトを構成する接続ユニットの断面を示した模式図である。
また、図９は、第１実施形態のバスダクトシステムを側面から見た模式図であり、バスダクトにバスダクト分岐装置が取り付けられて固定され、且つバスダクト分岐装置の遮断器の電源スイッチがＯＮの状態を示している。また、図１０は、第１実施形態のバスダクトシステムのバスダクト分岐装置とバスダクトとの接続部分を示した模式図である。
【００２１】
第１実施形態のバスダクトシステムは、図９、１０に示すように、プラグインホール３１が設けられたハウジングを有するバスダクト（バスダクト幹線）１０と、バスダクト１０に着脱自在に取り付けられるバスダクト分岐装置（以下、単に「分岐装置」という）２０とを備えている。
【００２２】
バスダクト１０は、図１〜図３に示すように、絶縁被覆された導体１１１aをハウジングで覆った構成であり、バスダクトユニット１１・１１を別体の接続ユニット１２を介して相互に接続することで形成されている。すなわち、第１実施形態のバスダクト１０は、複数のバスダクトユニット１１と、隣接配置されたバスダクトユニット１１を接続する接続ユニット１２とを有する構成になっている。
【００２３】
また、上記のバスダクトユニット１１は、図２に示すように、絶縁被覆された３相の絶縁被覆導体１１１（平板状の送電用の導体１１１ａを絶縁物で被覆して形成された絶縁被覆導体１１１）が並設され、絶縁被覆導体１１１の幅方向両側に平面視略方形のパイプスペーサ１１２が配置されている。また、バスダクトユニット１１は、絶縁被覆導体１１１及びパイプスペーサ１１２を断面略コ字形の一対の側板１１３・１１３で一括して狭持し、側板１１３に挿通したボルト１１４ａ、ナット１１４ｂ等の締着具を緊締して固定されている。
【００２４】
上記の側板１１３は、その両上下端縁に、狭持している絶縁被覆導体１１１から外方へ向かって第１補強部１１３ａが略直角に延設され、第１補強部１１３ａの端縁には互いに向きあう方向に第２補強部１１３ｂが略直角に延設され、バスダクトユニット１１やバスダクト１０自体の強度を保っている。尚、バスダクトユニット１１において、パイプスペーサ１１２、側板１１３がハウジングに相当する。
【００２５】
また、上記の接続ユニット１２は、図３に示すように、接続すべきバスダクトユニット１１・１１の同相導体１１１ａ・１１１ａ間を電気的に接続する導電性接続部材１２１と、絶縁セパレータ１２２と、これらを外方から狭持する接続側板１２３と、接続側板１２３の外方に配置された押圧部材１２４とが設けられており、これらを絶縁スリーブ１２５に挿通してなる締着具１２６で緊締してバスダクトユニット１１・１１を相互に接続する構成であり、接続前には締着具１２６によって仮締着された状態になっている。
尚、絶縁セパレータ１２２は、導電性接続部材１２１を含む異相の導体１１１ａ・１１１ａ間及び導電性接続部材１２１を含む最外側の導体１１１ａと接続側板１２３間を絶縁する位置に設置されている。
【００２６】
接続ユニット１２でバスダクトユニット１１・１１を接続してバスダクト１０を構成する場合、接続すべきバスダクトユニット１１・１１の導体１１１ａ・１１１ａの端部を同相の導電性接続部材１２１・１２１間に挿入し、バスダクト側板１１３と接続側板１２３とをボルトナット等の締着具で固定し、その後、仮締着している締着具１２６を緊締し、更に対応開放面である上下面に接続上下板３０をそれぞれ配置してバスダクトユニット１１・１１にビス止めする等で固定し、前記開放面を塞ぐことにより、バスダクトユニット１１・１１相互の接続が完了する。このとき、接続上下板３０の少なくとも一方（この場合は上面側）にはプラグインホール３１が形成され、プラグインホール３１が開閉扉４０によって開閉可能に閉塞されている。このようにして、バスダクト１０のハウジングは、プラグインホール３１の周囲部分を形成する接続ユニット１２において、バスダクトの厚み方向に膨張した膨張部（図１（ｂ）における左側のバスダクトユニット１１の膨出側部１１５と、右側の膨出側部１１５との間に挟まれた部分）が形成されている。尚、接続ユニット１２において、接続側板１２３、接続上下板３０及び開閉扉４０がハウジングに相当する。
尚、接続上下板３０は、平板状の基部３２と、基部３２の側方の両端縁を略直角に屈曲延設してなる補強片３４と、後述する取付フック２４が挿入されるフック孔３５（図１参照）とを有する構成になっている。この両方の補強片３４には、後述する阻害部（係止部８２）が係止可能な被係止部としての突起６０が、補強片３４から側方に立設されている。
【００２７】
次に分岐装置２０について図４〜６を参照しながら説明する。
ここで、図４は、第１実施形態のバスダクト分岐装置を上面から見た模式図である。図５は、第１実施形態のバスダクト分岐装置を側面から見た模式図である。図６は、第１実施形態のバスダクト分岐装置を前面から見た模式図である。
【００２８】
図４〜６に示すように、分岐装置２０は、分岐用端子２３を支持する、ボックス形の箱体（本体部）２２を備えている。箱体２２は、板状の底面２２ａを有し、この底面２２ａから周壁である側壁２２ｂ・２２ｂ、前壁２２ｃ、後壁２２ｄが立設し、その上面には開閉可能な蓋体２２ｅが設けられている（図５参照）。
【００２９】
また、箱体２２において底面２２ａの前壁２２ｃ側には、一対の取付フック２４が底面２２ａから下方に且つ前壁２２ｃから前方に突設されている。また、箱体２２において、底面２２ａの後壁２２ｄ側には第１固定部材２５が、前壁２２ｃには第２固定部材２６が、後壁２２ｄには第３固定部材２７が設けられている（図５参照）。
【００３０】
また、箱体２２内部には、分岐用端子２３を固定する端子台２３ａと、遮断器ＣＢと、端子台２３ａと遮断器ＣＢを電気的に接続する接続導体Ｃとが設置され、遮断器ＣＢから図示しないケーブル等を介して箱体２２の外に電力を分岐する構成となっている。また、遮断器ＣＢには電源スイッチ５０が設けられている。
【００３１】
電源スイッチ５０は、遮断器ＣＢを閉⇔開（ＯＮ⇔ＯＦＦ）するスイッチであり、例えばこの場合は、前壁２２ｃ側に動かすと遮断器ＣＢを閉（ＯＮ）にし、後壁２２ｄ側に動かすと開（ＯＦＦ）にするようになされている（後述する図８に電源スイッチ５０がＯＦＦの状態が示され、図９に電源スイッチ５０がＯＮの状態が示されている）。そして、この電源スイッチ５０にはハンドル７０が連結されている。
【００３２】
ハンドル７０は、図６に示すように、板状の基部７１と、基部７１の両端から略直角に垂下された側部７２・７２とを有し、全体としてコ字形状に形成されている。そして、ハンドル７０は、遮断器ＣＢを側壁２２b・２２ｂ方向に跨ぐようにして、側部７２・７２それぞれの中程を回動可能な締結部材７３（例えば間座を履かせたボルト及びナット）を介して側壁２２b・２２ｂに軸支されている。また、基部７１は電源スイッチ５０と連結している。
【００３３】
これにより、ハンドル７０は、基部７１を前⇔後（前壁２２c側⇔後壁２２d側）に動かすことでその全体が締結部材７３を軸に回動すると共に、電源スイッチ５０を閉⇔開（ＯＮ⇔ＯＦＦ）に動かせるようになっている。そして、このハンドル７０の両側部７２・７２の下方部それぞれにおいて、回動可能な締結部材７４（例えば間座を履かせたボルト及びナット）を介して、クランク８０が連結されている。
【００３４】
クランク８０は、側面視で例えば取っ手のような形状をした部分が後壁２２ｄ側に向いた略バール形状をしており、ハンドル７０と連結されている基部８１の反対側（ハンドル７０を挟んで基部８１の反対側）に設けられた係止部８２が、分岐装置２０の底面２２ａに形成された長孔２２ｆ（図４参照）を通過して底面２２ａの下方に突出している。
【００３５】
具体的には、クランク８０は、略板状の基部８１と、基部８１の一端側（前端側）の下端部から内側（箱体２２の内側）に向けて略直角に屈曲し延設された接続片部８５（図４、６参照）と、接続片部８５の一端部から下方に向けて略直角に屈曲し延設された略板状の係止部８２とを有している。
上記の基部８１は、箱体２２の内部において、側壁２２に対して平行に配置されており、その後方側の部分が、ハンドル７０の側部７２の下方部に締結部材７４を介して連結されている。また、基部８１は、その前方側（前壁２２ｃ側）の部分に、箱体２２の外側に向けて突出する突起８３が設けられている。尚、後述するが、この突起８３は、箱体２２の側壁２２に形成された長孔２２ｇに遊貫されている。
【００３６】
係止部８２は、分岐装置２０の底面２２ａに形成された長孔２２ｆを通過して、その下端部側の部分が底面２２ａから下方に突出している。また、係止部８２は、その後方側の側部に矩形状に凹んだ凹部８２ｂが形成されており、その下端に、箱体２２の底面２２ａと平行な底辺８２ａが形成され、凹部８２ｂの下方側が係止辺８２ｃになっている。そして、この係止部８２の底辺８２ａと、凹部８２ｂの下方に位置する係止辺８２ｃとが阻害部（着脱阻害部）として機能することになる。具体的には、バスダクト１０に対する分岐装置２０の取り付けを阻害する取付阻害部として底辺８２ａが機能し、バスダクト１０から分岐装置２０を取り外すことを阻害する取外阻害部として係止辺８２ｃが機能する。
【００３７】
また、クランク８０の基部８１に設けられた突起８３（基部８１から側方に突設された突起８３）は、例えばボルトにより形成されており、分岐装置２０の箱体２２の側壁２２ｂに形成された長孔２２ｇ（箱体２２の前後方向に延びる長孔２２ｇ）に遊貫されるようになっている。この場合、突起８３を構成するボルトの軸部が長孔２２ｇに挿通され通過し、側壁２２ｂの側方にボルトの頭部が突出するようになっている。同様に、クランク８０とハンドル７０とを連結する締結部材７４の一部が、分岐装置２０の側壁２２ｂに形成された長孔２２ｈ（箱体２２の前後方向に延びる長孔２２ｈ）に挿通され通過して側壁２２ｂの側方に突出（遊貫）するようになっている。
【００３８】
そして、分岐装置２０に形成された長孔２２ｆ、長孔２２ｇ、長孔２２ｈは、ハンドル７０を前⇔後（前壁２２c側⇔後壁２２d側）に動かしたときのクランク８０の移動幅寸法と同程度か僅かに長い寸法で形成されている。これにより、分岐装置２０は、電源スイッチ５０を閉⇔開（ＯＮ⇔ＯＦＦ）と切り替える動きが、ハンドル７０とクランク８０（クランク８０の基部８１及び接続片部８５）とを介して係止部８２（阻害部）に伝わって（伝達し）、この係止部８２を電源スイッチ５０の動きに連動させるようになっている。尚、係止部８２は、取付フック２４及び第１固定部材２５の間において、これら取付フック２４及び第１固定部材２５よりも下方に突出しないように設けられており、分岐装置２０を取付フック２４及び第１固定部材２５を脚として床面等に載置した際に、床面等に触れないようになっている。すなわち係止部８２は、他の部材に触れ難く（直接には動かし難く）なっており、その結果、他の部材にぶつかって勝手に動いてしまうような事態が生じ難くなっている。
【００３９】
この第１実施形態の場合、阻害部としての底辺８２ａ及び係止辺８２ｃの動きを電源スイッチ５０の動きに連動させる連動部として、ハンドル７０及びクランク８０（クランク８０の基部８１及び接続片部８５）が機能することになる。すなわち、第1実施形態では、「クランク８０の係止部８２（係止部８２の底辺８２ａ及び係止辺８２ｃ）」が阻害部の機能を果たす。また、ハンドル７０及び「クランク８０の基部８１及び接続片部８５」が、電源スイッチ５０の動きを阻害部（クランク８０の底辺８２ａ及び係止辺８２ｃ）に伝達し、電源スイッチ５０の動きに連動させて阻害部を動作させる連動部としての機能を果たす。
【００４０】
具体的には、ハンドル７０（基部７１）を介して電源スイッチ５０を開⇒閉（ＯＦＦ⇒ＯＮ）に動かすと（前壁２２ｃ側に動かすと）、連動部（ハンドル７０の基部７１及び側部７２、クランク８０の基部８１及び接続片部８５）を介して、阻害部（係止部８２）が後方側（後壁２２ｄ側）にスライドする（水平に移動する）。また、電源スイッチ５０を閉⇒開（ＯＮ⇒ＯＦＦ）に動かすと、連動部（クランク８０の基部８１及び接続片部８５）を介して、阻害部（係止部８２）が前方側（前壁２２ｃ側）にスライドする（水平に移動する）。
【００４１】
尚、分岐装置２０がバスダクト１０に取り付けられていない状態において、電源スイッチ５０をＯＮ状態にすると、阻害部（係止部８２）は、バスダクト１０に対して分岐装置２０を取り付けるために近づけたときに、その取り付けを阻害する位置（バスダクト１０の突起６０に底辺８２ａが干渉する位置）に配置される。一方、電源スイッチ５０をＯＦＦ状態にすると、阻害部（係止部８２）は、バスダクト１０に対して分岐装置２０を取り付けることができる位置（バスダクト１０の突起６０に底辺８２ａが干渉しない位置）に配置される。
また、分岐装置２０がバスダクト１０に取り付けられている状態において、電源スイッチ５０がＯＮ状態の阻害部（係止部８２）は、バスダクト１０から分岐装置２０の取り外しを阻害する位置（バスダクト１０の突起６０に係止辺８２ｃが係止される位置）に配置される。一方、電源スイッチ５０をＯＦＦ状態にすると、阻害部（係止部８２）は、バスダクト１０から分岐装置２０の取り外しできる位置（バスダクト１０の突起６０から離間し且つ突起６０に係止辺８２ｃが干渉しない位置）に配置される。
【００４２】
次に、分岐装置２０をバスダクト１０に取り付ける施工手順及びその際の動きと、分岐装置２０をバスダクト１０から取り外す施工手順（工程）及びその際の動きとについて、図７〜８と、上述した図９〜１０を参照しながら説明する。
ここで、図７は、第１実施形態のバスダクト分岐装置をバスダクトに取り付ける工程を説明するための模式図であり、バスダクト分岐装置をバスダクトに取り付けている最中の状態を示している。図８は、第１実施形態のバスダクト分岐装置をバスダクトに取り付ける工程を説明するための模式図であり、バスダクト分岐装置がバスダクトに取り付けられ（固定が完了しておらず）、且つバスダクト分岐装置の遮断器の電源スイッチがＯＦＦの状態を示している。
【００４３】
最初に、分岐装置２０をバスダクト１０に取り付ける施工手順及びその際の動きについて説明する。
先ず、作業者は、図７に示すように、分岐装置２０の電源スイッチ５０をＯＦＦ状態にし、クランク８０の係止部８２（阻害部）を前壁２２ｃ側に移動させる。そして作業者は、バスダクト１０の接続ユニット１２の開閉扉４０を開放してプラグインホール３１を露出させた後、電源スイッチ５０をＯＦＦ状態にした分岐装置２０の前壁２２ｃ側をバスダクト１０側に傾けて取付フック２４を接続上下板３０のフック孔３５に向けて挿入する。
【００４４】
尚、クランク８０の基部８１の一部は、見分け易い２色（例えばこの場合、青と赤）に適宜塗り分けられており、この図７に示すような電源スイッチ５０がＯＦＦ状態の場合には、箱体２２の側壁２２ｂに設けられた状態表示開口２２ｉを通して青色を見せることで、電源スイッチ５０（遮断器ＣＢ）がＯＦＦであることを作業者に通知するようになっている。
【００４５】
次に、作業者が取付フック２４を軸として分岐装置２０全体を回転させつつバスダクト１０に近付けると、このとき、分岐装置２０の電源スイッチ５０がＯＦＦ状態であるため、係止部８２（阻害部）は接続上下板３０の突起６０とは干渉せず、図８に示すように、分岐用端子２３がプラグインホール３１を通過して接続ユニット１２内の対応する導電性接続部材１２１・１２１間に挿入されて、バスダクト１０と分岐装置２０とが電気的に接続されると共に、第１固定部材２５がバスダクトユニット１１の第２補強部１１３ｂを乗り越えてワンタッチで固定される。
【００４６】
尚、仮に電源スイッチ５０がＯＮ状態であった場合には、バスダクト１０に対して分岐装置２０を取り付けようとしても、係止部８２の底辺８２ａが突起６０に当接（干渉）して分岐装置２０をそれ以上バスダクト１０に近付けることが阻害される。すなわちインターロック機能が発揮されることとなる。
【００４７】
その後、作業者が第２固定部材２６で接続上下板３０の基部３２とバスダクトユニット１１の第１補強部１１３ａとをまとめて把持すると共に、第３固定部材２６でバスダクト１０の第１補強部１１３ａを把持することにより、分岐装置２０の箱体２２はバスダクト１０に固定される。
【００４８】
そして、作業者がハンドル７０を操作して電源スイッチ５０をＯＦＦ（開）からＯＮ（閉）に切り替えると、図９に示すように、ハンドル７０及び「クランク８０の基部８１及び接続片部８５」により構成される連動部を介して、クランク８０の係止部８２（阻害部）が後方に移動し、この係止部８２の凹部８２ｂの内側に突起６０が収まることになる。これにより、遮断器ＣＢから図示しないケーブルに対して通電されることとなる。
【００４９】
また、このとき、箱体２２の側壁２２ｂに設けられた状態表示開口２２ｉを通して赤色が見えるようになっており、これにより、電源スイッチ５０（遮断器ＣＢ）がＯＮであることを作業者に通知するようになっている（作業者は、状態表示開口２２ｉを見ることで、視覚により電源スイッチ５０（遮断器ＣＢ）の状態を把握できるようになっている）。
【００５０】
次に、分岐装置２０をバスダクト１０から取り外す施工手順及びその際の動きについて説明する。
【００５１】
先ず、作業者が、図９に示すような、バスダクト１０に取り付けられて通電状態となっている分岐装置２０において、ハンドル７０を操作して電源スイッチ５０をＯＮ（閉）からＯＦＦ（開）に切り替えると共に、第２固定部材２６及び第３固定部材２７を取り外すと、図８に示す状態になる。
尚、作業者がハンドル７０を操作して電源スイッチ５０をＯＮ（閉）からＯＦＦ（開）に切り替えると、ハンドル７０及び「クランク８０の基部８１及び接続片部８５」により構成される連動部を介して、クランク８０の係止部８２（阻害部）が前方に移動し、図８に示すように、係止部８２の凹部８２ｂが、突起６０から離間し且つ突起６０に干渉しない位置に配置される。
【００５２】
次に、作業者が取付フック２４を軸として分岐装置２０全体を回転させつつバスダクト１０から取り外す方向に動かすと、このとき、分岐装置２０の電源スイッチ５０がＯＦＦ状態であるため、係止部８２（阻害部）は接続上下板３０の突起６０とは干渉せず、図７に示すように、分岐装置２０の分岐用端子２３がプラグインホール３１から引き抜かれた状態となる。
【００５３】
尚、仮に電源スイッチ５０がＯＮ状態であった場合には、バスダクト１０から分岐装置２０を取り外そうとしても、係止部８２の係止辺８２ｃが突起６０に当接（係止）して分岐装置２０をバスダクト１０から引き離すことが阻害される。すなわちインターロック機能が発揮されることとなる。
すなわち、第１実施形態の分岐装置２０係止部８２（阻害部）は、バスダクト１０の取付位置に設置されているときに、電源スイッチ５０をＯＮにすると、突起６０に当接（係止）される位置に配置されるようになっており、分岐装置２０のバスダクト１０からの引き離しを阻害する機能を果たす。
【００５４】
そして、その後、フック孔３５から取付フック２４を引き抜くことで、分岐装置２０の取り外しが完了する。
【００５５】
一方、例えば、この分岐装置２０を取り外した状態において、作業者が遮断器ＣＢの動作確認や試験をするため、ハンドル７０を動かして電源スイッチ５０をＯＦＦ（開）からＯＮ（閉）、又はＯＮ（閉）からＯＦＦ（開）に動かすような場合であっても、係止部８２の状態や他の部材（例えば第１固定部材２５、第２固定部材２６、第３固定部材２７）の状態に関わらず電源スイッチ５０を自由に動かすことができる。
【００５６】
このよう、第１実施形態によれば、遮断器ＣＢの電源スイッチ５０が閉（ＯＮ）の状態で分岐装置２０がバスダクト１０に取り付けられたり、バスダクト１０から取り外されたりすることが防止されると共に、例えば遮断器ＣＢの電源スイッチ５０の動作確認や試験も何ら阻害されることなく自由に行うことができ、インターロック機能と使い勝手とを兼ね備えたバスダクトインターロック構造を提供することができる。
【００５７】
かかる構成に加え、第１実施形態の分岐装置２０は、分岐装置２０の着脱が阻害される際（インターロック機能が発揮される際）に係止部８２にかかる力の方向が、クランク８０が動く方向と略直交するようになっている。これにより分岐装置２０は、着脱が阻害される際に係止部８２にかかる力によってクランク８０やハンドル７０といった連動部が勝手に動くことを防止できる。つまり、電源スイッチ５０が勝手に切り替わってしまうことを防止でき、インターロックとしての機能をより向上できる。
【００５８】
また、第１実施形態の分岐装置２０は、図６に示すように、ハンドル７０における締結部材７３から基部７１までの距離寸法（ｘ１）が、締結部材７３から締結部材７４までの距離寸法（ｘ２）よりも大きく設定されている（ｘ１＞ｘ２になるように設定されている）。これにより分岐装置２０は、電源スイッチ５０と係止部８２（阻害部）とが連動してはいるものの、ハンドル７０の操作により電源スイッチ５０は動かし易く、一方で係止部８２の操作によっては電源スイッチ５０を動かし難くできており、インターロックとしての機能をより向上できる。換言するならば、係止部８２（阻害部）は、それ自体を直接には動かし難く、電源スイッチ５０側からは容易に動かせる。すなわち、分岐装置２０を取り扱う際に、仮に係止部８２をぶつけるようなことがあっても容易には動かない（直接には動かし難い）ため、動いてしまった係止部８２を戻すような手間がかからない。その一方で、電源スイッチ５０側から連動部（ハンドル７０の基部７１及び側部７２、クランク８０の基部８１及び接続片部８５）を介して係止部８２を動かすことは容易であるので、使い勝手が良いという側面もある。尚、例えば、締結部材７３から基部７１までの距離寸法（ｘ１）が、締結部材７３から締結部材７４までの距離寸法（ｘ２）と比べて、非常に大きく設定することで、係止部８２を操作しても電源スイッチ５０が動かないように設計することもできる。
【００５９】
ただし、ハンドル７０における締結部材７３から基部７１までの距離寸法（ｘ１）が、締結部材７３から締結部材７４までの距離寸法（ｘ２）よりも大きく設定される構成は、必須構成ではない。例えば、ハンドル７０における締結部材７３から基部７１までの距離寸法（ｘ１）と、締結部材７３から締結部材７４までの距離寸法（ｘ２）とが同程度であっても良い。或いは、締結部材７３から基部７１までの距離寸法（ｘ１）よりも、締結部材７３から締結部材７４までの距離寸法（ｘ２）の方が大きく設定されていても良い。
【００６０】
《第１実施形態の変形例》
次に、第１実施形態の変形例について説明する。
尚、以下で説明する各変形例においては、説明の便宜上、第１実施形態と同じ構成及び相当する構成に同じ符号を付している。
【００６１】
まず、第１実施形態の分岐装置２０のクランク８０の形状を変形した変形例について、図１１を参照しながら説明する。
ここで、図１１は、第１実施形態のクランクの変形例を示した模式図であり、（ａ）がクランクの第１変形例を示した模式図であり、（ｂ）がクランクの第２変形例を示した模式図である。
【００６２】
具体的には、上述した第１実施形態では、クランク８０の係止部８２（阻害部）の底辺８２ａに取付阻害部の機能を、係止部８２（阻害部）の係止辺８２ｃに取外阻害部の機能を付与した場合について述べたが、本発明はこれに限らず、クランク８０の阻害部としては、取付阻害部と取外阻害部の少なくとも一方の機能があれば良い。
尚、下記で説明するクランク８０の変形例（第１変形例、第２変形例）は、基部８１と、基部８１の一端側（前端側）の下端部から内側（箱体２２の内側）に向けて略直角に屈曲し延設された接続片部８５と、接続片部８５の一端部から下方に向けて略直角に屈曲し延設された係止部８２とを有している点は、上述した第１実施形態のものと同じである。
【００６３】
例えば、第１変形例では、図１１（ａ）に示すように、係止部８２の係止辺８２ｃが斜辺をなす形状に形成されており、取外阻害部としての機能は発揮できないため電源スイッチ５０がＯＮ状態でも分岐装置２０を取り外すことが可能になる。
具体的には、図１１（ａ）に示す例では、係止部８２の係止片８２ｃは、その下端部から上方側の凹部８２ｂに向けて、横幅寸法が徐々に小さくなる斜辺形状に形成されている。この構成によれば、底辺８２ａにより取付阻害部としての機能は発揮できる一方で、取外阻害部としての機能は発揮し難くなる。
【００６４】
また、例えば、第２変形例では、図１１（ｂ）に示すように、係止部８２の底辺８２ａが斜辺をなす形状に形成されており、取付阻害部としての機能は発揮できないため電源スイッチ５０がＯＮ状態でも分岐装置２０を取り付けることが可能である。
具体的には、図１１（ｂ）に示す例では、係止部８２の底辺８２ａは、一端（図中では、向かって左端）から他端に向けて延びる水平辺部８２ａ１と、水平辺部８２ａ１の他端から上方側の凹部８２ｂに向けて延びる斜辺部８２ａ２とを有している。この構成によれば、凹部８２ｂの下端側に形成されている係止片８２ｃにより取外阻害部としての機能は発揮できる一方で、取付阻害部としての機能は発揮し難くなる。
【００６５】
さらに、図１１に示す変形例の場合、例えばハンドル７０において締結部材７３から基部７１までの距離寸法を締結部材７３から締結部材７４までの距離寸法よりも小さく設定する等してクランク８０側から電源スイッチ５０を動かし易くすることで、以下の作用効果が得られる。
【００６６】
具体的には、図１１（ａ）に示すような形状の係止部８２では、バスダクト１０に取り付けられた分岐装置２０を電源スイッチ５０がＯＮ状態のまま取り外そうとすると、突起６０に斜辺が当接することにより係止部８２が前方向にスライドし、この動きがクランク８０及びハンドル７０を介して電源スイッチ５０に伝わって遮断器ＣＢをＯＦＦ状態に切り替えることができる。
また、図１１（ｂ）に示すような形状の係止部８２であれば、電源スイッチ５０がＯＮ状態のまま分岐装置２０をバスダクト１０に取り付けようとすると、突起６０に斜辺部８２ａ２が当接することにより係止部８２が前方向にスライドし、この動きがクランク８０及びハンドル７０を介して電源スイッチ５０に伝わって遮断器ＣＢをＯＦＦ状態に切り替えることができる。
【００６７】
さらに、第１実施形態では、電源スイッチ５０がＯＮ状態の際に分岐装置２０の取付け又は取外しを阻害する阻害部（係止部８２）が係止されるバスダクト１０側の部位として突起６０を適用するようにした場合について述べたが、本発明はこれに限定されるものではない。例えば、バスダクト１０に設けられた任意のボルトの頭部や接続上下板３０の補強片３４、バスダクトユニット１１の第１補強部１１３ａや第２補強部１１３ｂ等、他の部位を適用しても良い。
【００６８】
次に、第１実施形態の分岐装置２０に、バスダクト１０への取り付けを案内するガイドを設けた変形例について、図１２及び１３を参照しながら説明する。
ここで、図１２は、第１実施形態のバスダクト分岐装置にガイドを設けた変形例を説明するための模式図であり、（ａ）がガイドを設けたバスダクト分岐装置の模式図であり、（ｂ）がガイドを設けたバスダクト分岐装置に対応するバスダクトを示した模式図である。図１３は、第１実施形態のバスダクト分岐装置にガイドを設けた変形例を説明するための模式図であり、バスダクト分岐装置がバスダクトに取り付けられた状態を示している。
【００６９】
この変形例では、上述した第１実施形態の突起６０が、図１２（ａ）に示すようなガイド９０付きの分岐装置２０を、これに対応するバスダクト１０（図１２（ｂ））に対して取り付ける際の基準と兼用になっている。
【００７０】
具体的には、図示する分岐装置２０には、箱体２２の底面２０ａ（底面２０ａの前後方向における中心部より前方側の位置）に、下方に延びる平板状のガイド９０が突設されている。このガイド９０にはガイド溝９１が設けられ、バスダクト１０に対して分岐装置２０を回転して着脱する際に、バスダクト１０の接続上下板３０に設けられた突起６０が、このガイド溝９１を通過するようになっている。
【００７１】
さらに、この変形例では、図１３に示すように、ガイド９０には、電源スイッチ５０がＯＦＦ状態の際に係止部８２に隠される位置に例えば赤色の状態表示部９２が形成されている。そして、電源スイッチ５０がＯＮ状態に切り替えられた際にこの状態表示部９２が外部に露出することで、電源スイッチ５０（遮断器ＣＢ）がＯＮ状態であることを作業者に通知するようになっている。
【００７２】
尚、上述の第１の実施形態やその変形例においては、電源スイッチ５０を前壁２２ｃ側に動かすと遮断器ＣＢを閉（ＯＮ）にし、後壁２２ｄ側に動かすと開（ＯＦＦ）にするようにした場合について述べたが、本発明はこれに限らず、後壁２２ｄ側に動かすと遮断器ＣＢを閉（ＯＮ）にし、前壁２２ｃ側に動かすと開（ＯＦＦ）にするようにしても良い。この場合、例えば、係止部８２の凹部８２ｂが前側を向くように形成し、電源スイッチ５０を後壁２２ｄ側に動かして閉（ＯＮ）状態にした際に凹部８２ｂの内側に突起６０が配置されるような位置関係に設計すれば、上述と同様の効果が得られるものである。
【００７３】
《第２実施形態》
次に、本発明の第２実施形態のバスダクトシステムについて図１４及び１５を用いて説明する。
ここで、図１４は、第２実施形態のバスダクトシステムのバスダクト分岐装置の遮断器の電源スイッチがＯＮになっている状態を示した模式図であり、（ａ）が第２実施形態のバスダクトシステムを構成するバスダクト分岐装置の遮断器を上方から見た模式図であり、（ｂ）が第２実施形態のバスダクトシステムの断面を示した模式図である。
また、図１５は、第２実施形態のバスダクトシステムのバスダクト分岐装置の遮断器の電源スイッチがＯＦＦになっている状態を示した模式図であり、（ａ）が第２実施形態のバスダクトシステムを構成するバスダクト分岐装置の遮断器を上方から見た模式図であり、（ｂ）が第２実施形態のバスダクトシステムの断面を示した模式図である。
【００７４】
尚、以下では、第１実施形態と同じ構成或いは類似する構成に関しては同じ符号を付し、その説明を省略する。また、第１実施形態では「ハンドル７０」及び「クランク８０の基部８１及び接続片部８５」であった連動部が、第２実施形態では「スライド部１７０」及び「アーム１８０の基部１８１」に変更され、第１実施形態では「クランク８０の係止部８２」であった阻害部が、第２実施形態では「アーム１８０の係止部１８２」に変更されている。そして、第２実施形態のバスダクト１０には、突起６０が設けられていない。
【００７５】
先ず、第２実施形態の分岐装置２０のうち、第１実施形態と異なる構成について説明する。
【００７６】
第２実施形態では、第１実施形態のハンドル７０に代えて、図１４及び図１５に示すように、スライド部１７０が設けられている。スライド部１７０は、略矩形板状に形成されており、四隅近傍に、それぞれ、長孔１７２が貫通している。そして、スライド部１７０は、側壁２２ｂ・２２ｂ両方の内側に設けられた台部２２ｊ（断面視Ｌ字状の台部２２ｊ）に長孔１７２と間座付ボルト１７３とを介して取り付けられており、分岐装置２０の左右方向（側壁２２ｂ・２２ｂ方向）にスライド可能になっている。
【００７７】
このスライド部１７０の中央には、略平行四辺形のスライド開口１７１が形成されており、電源スイッチ５０を閉⇔開（ＯＮ⇔ＯＦＦ）に切り替える際の動き（分岐装置２０の前後方向の動き）が、分岐装置２０の左右方向にスライドする動きに切り替わるようになっている。そして、このスライド部１７０の下方にはアーム１８０が突設されている。
【００７８】
アーム１８０は、図１４（ｂ）及び図１５（ｂ）に示すように、板状の基部１８１と、基部１８１の上端部で内側（箱体２２の内側）に屈曲延設されている取付部１８３と、基部１８１の下端部で箱体２２の内側に屈曲延設されている係止部１８２とを有している。
【００７９】
このアーム１８０は、取付部１８３がスライド部１７０の下面に取り付けられている。また、アーム１８０は、基部１８１が分岐装置２０の底面２２ａに形成された開口２２ｋを通過して箱体２２の下方（底面２２ａよりも下方側）までが延設されている。また、基部１８１の下端を内側に屈曲延設することで、上記の係止部１８２が形成されている。また、アーム１８０は、スライド部１７０のスライドと共に分岐装置２０の左右方向にスライドするようになっており、分岐装置２０がバスダクト１０に正しく取り付けられた場合に、係止部１８２が接続ユニット１２の接続上下板３０（補強片３４）に引っかからずに、図１４（ｂ）の状態から図１５（ｂ）の状態にスライドできるように設定されている。
【００８０】
第２実施形態の分岐装置２０はこのように構成されているため、電源スイッチ５０がＯＦＦ状態では、係止部１８２がバスダクトユニット１１のどの部分にも干渉せず、自由にバスダクト１０への着脱が可能である。一方で、分岐装置２０は、電源スイッチ５０がＯＮ状態でバスダクト１０に取付けようとしても、係止部１８２の下側の面が取付阻害部として接続ユニット１２の接続上下板３０（基部３２）に当接（干渉）するため、その動きは阻害される。また、第２実施形態の分岐装置２０は、電源スイッチ５０がＯＮ状態のままバスダクト１０から取り外そうとしても、係止部１８２の上側の面が取外阻害部として補強片３４の下端縁に当接（干渉）するため、やはりその動きは阻害される。
【００８１】
このように、第２実施形態では、アーム１８０の係止部１８２が阻害部の機能を果たす。また、スライド部１７０及びアーム１８０の基部１８１が、電源スイッチ５０の動きを阻害部（アーム１８０の係止部１８２）に伝達し、電源スイッチ５０の動きに連動させて阻害部を動作させる連動部としての機能を果たす。
【００８２】
そして、この第２実施形態の分岐装置２０も、例えばバスダクト１０から取り外された状態において、作業者が遮断器ＣＢの動作確認や試験をするため、電源スイッチ５０をＯＦＦ（開）からＯＮ（閉）、又はＯＮ（閉）からＯＦＦ（開）に動かすような場合であっても、係止部１８２の状態や他の部材の状態に関わらず電源スイッチ５０を自由に動かすことができるのは、上述の第１実施形態の場合と同様である。
【００８３】
このようにして、第２実施形態においても、遮断器ＣＢの電源スイッチ５０が閉（ＯＮ）の状態で分岐装置２０がバスダクト１０に取り付けられたり、バスダクト１０から取り外されたりすることが防止されると共に、例えば遮断器ＣＢの電源スイッチ５０の動作確認や試験も何ら阻害されることなく自由にとり行うことができ、インターロック機能と使い勝手とを兼ね備えたバスダクトインターロック構造を提供することができるようになっている。
【００８４】
また、第２実施形態の分岐装置２０も、分岐装置２０の着脱が阻害される際（インターロック機能が発揮される際）に係止部１８２にかかる力の方向が、スライド部１７０とアーム１８０がスライドする方向と略直交するようになっている。これにより分岐装置２０は、着脱が阻害される際に係止部１８２にかかる力によってスライド部１７０やアーム１８０といった連動部が勝手に動くことを防止できる。つまり、電源スイッチ５０が勝手に切り替わってしまうことを防止でき、インターロックとしての機能をより向上できる。
【００８５】
さらに、第２実施形態の分岐装置２０は、アーム１８０の基部１８１が比較的長く形成されている。これにより分岐装置２０は、電源スイッチ５０と係止部１８２（阻害部）とが連動してはいるものの、電源スイッチ５０それ自体を動かすのは容易である一方で、係止部１８２を動かすことで電源スイッチ５０を切り替えることは難しくなっており、インターロックとしての機能をより向上できる。
【００８６】
《第２実施形態の変形例》
尚、第２実施形態では、アーム１８０を分岐装置２０の一方の側壁２２ｂ側だけに設けた場合について述べたが、本発明はこれに限らず、両方に設けるようにしても良い。この場合、例えば、スライド部１７０のスライド開口１７１とは左右反対の形状のスライド開口を有するスライド部をスライド部１７０に重ねて設け、このスライド部から、スライド部１７０を避けて下方にアーム１８０を突設させてやれば良い。
【００８７】
《第３実施形態》
次に、第３実施形態のバスダクトシステムについて図１６及び１７を用いて説明する。
ここで、図１６は、第３実施形態のバスダクトシステムを構成するバスダクトを示した模式図である。また、図１７は、第３実施形態のバスダクトシステムを構成するバスダクト分岐装置を示した模式図であり、（ａ）が遮断器の電源スイッチがＯＦＦになっている状態を示した模式図であり、（ｂ）が遮断器の電源スイッチがＯＮになっている状態を示した模式図である。
【００８８】
尚、以下では、第１実施形態及び第２実施形態やその変形例と同じ構成或いは類似する構成に関しては同じ符号を付し、その説明を省略する。また、第１実施形態では「ハンドル７０」及び「クランク８０の基部８１及び接続片部８５」であった連動部が、第３実施形態では「スライド部２７０の周部２７１」に変更され、第１実施形態では「クランク８０の係止部８２」であった阻害部が、第３実施形態では「スライド部２７０の係止部２７２」に変更されている。そして、第３実施形態のバスダクト２１０及び分岐装置２２０は、その構造が、第１及び第２実施形態のバスダクト１０及び分岐装置２０とは異なる。
【００８９】
第３実施形態のバスダクト２１０は、図１６に示すように、長尺板状の基部２１１と、基部２１１の側方向両端から略鉛直下方向に垂下し延設されている側部２１２・２１２と、側部２１２・２１２の下端から水平方向内側に向けて僅かな寸法だけ延設された補強部２１３・２１３とを備えたハウジングを有している。このハウジングは、側部２１２・２１２の下端から水平方向内側に向けて僅かな寸法だけ延設された補強部２１３・２１３により、基部２１１と同程度の長さの開口（プラグインホール２１４）を下方向に形成された断面視略コ字形状になっている。
なお、上記のハウジングは、基部２１１の側方両端に水平方向外側に延びる上側フランジ部２１６が形成され、側部２１２・２１２のそれぞれの下端には、当該下端から水平方向外側に向けて延びる下側フランジ部２１７が形成されている。
【００９０】
バスダクト２１０のハウジングの内側には、後述する分岐用端子２２３を挟み込める断面視略コ字形状で長尺な複数相（一例として３相）の裸導体２３０が、コの字の開口部分を内側に向けるようにして、一部が一方の側部２１２に対し、残りは他方の側部２１２に対して、この側部２１２との絶縁を確保した上で固定されている。
【００９１】
また、第３実施形態のバスダクト分岐装置（分岐装置）２２０は、図１７に示すように、例えば底面２２２a、側壁２２２b・２２２ｂ、前壁２２２ｃ、後壁２２２ｄ、上面２２２ｅで六面を覆われた箱体２２２でなり、上面２２２ｅの中央付近から上方には分岐用端子２２３を固定する円柱状の端子台２２３ａが立設している。
【００９２】
端子台２２３ａは、バスダクト２１０のプラグインホール２１４の幅よりも狭い太さ寸法に形成されており、その側面からは、バスダクト２１０の複数相（この場合３相）の裸導体２３０に対応する位置から分岐用端子２２３が側方向に突設されている。また、端子台２２３ａは、前後方向の幅であればバスダクト２１０のプラグインホール２１４を通過できるが、左右方向だと分岐用端子２２３がぶつかりプラグインホール２１４を通過できない寸法に構成されている。
【００９３】
これにより、第３実施形態のバスダクト２１０と分岐装置２２０は、分岐装置２２０の前後方向（図１７のｘ４方向）がバスダクト２１０の長尺方向（図１６のｘ３方向）に対して直交する方向になるように回転させた状態で端子台２２３ａをバスダクト２１０のプラグインホール２１４に挿入し、その状態で分岐装置２２０の前後方向を戻すように回転させることで、箱体２２２の内部において、分岐装置２２０の分岐用端子２２３がバスダクト２１０の裸導体２３０のコ字形状の内側に挿入されるようになっている。
【００９４】
また、分岐装置２２０の側壁２２２ｂの一方には電源スイッチ５０が設けられ、箱体２２２内部に設けられた図示しない遮断器を閉⇔開（ＯＮ⇔ＯＦＦ）できるようになっている。電源スイッチ５０は、例えばこの場合は、上面２２２ｅ側に動かすと遮断器を閉（ＯＮ）にし、底面２２２ａ側に動かすと開（ＯＦＦ）にするようになされている。そして、この電源スイッチ５０にはスライド部２７０が連結されている。
【００９５】
スライド部２７０は、箱体２２２をその周囲に沿って覆うように形成された断面視で矩形の周部２７１（矩形・筒状の周部２７１）と、周部２７１の前側（前壁２２２ｃと対向する側）及び後側（後壁２２２ｄと対向する側）それぞれの上端から上方に延設された係止部２７２・２７２とを有している。また、スライド部２７０の側方（側壁２２２ｂと対向する側）の電源スイッチ５０と対応する位置には、開口２７３が形成されており、電源スイッチ５０が開口２７３を挿通して外部に露出するようになっている。
【００９６】
これにより、分岐装置２２０は、電源スイッチ５０をＯＮ状態にすると、図１７（ｂ）のように係止部２７２が箱体２２２の上面２２２ｅより上方に突出し、電源スイッチ５０をＯＦＦ状態にすると、図１７（ａ）のように係止部２７２が箱体２２２の上面２２２ｅより下側に引っ込むようになっている。
【００９７】
第３実施形態の分岐装置２２０はこのように構成されているため、電源スイッチ５０がＯＦＦ状態では係止部２７２が突出せず、バスダクト２１０のプラグインホール２１４に挿入して回転する動きをする間、バスダクト２１０のどの部分にも干渉せず、自由にバスダクト２１０への着脱が可能である。一方で、分岐装置２２０は、電源スイッチ５０がＯＮ状態でバスダクト１０に取付けようとした場合、プラグインホール２１４に挿入することはできるものの、回転動作中に係止部２７２がバスダクト２１０の下側フランジ部２１７に当接（干渉）するため、それ以上の回転は阻害される。また、電源スイッチ５０がＯＮ状態のままバスダクト２１０から取り外そうとした場合、回転動作中に係止部２７２の側縁がバスダクト２１０の補強部２１３のプラグインホール２１４側の端縁に当接（干渉）するため、やはりそれ以上の回転は阻害される。
【００９８】
このように、第３実施形態では、スライド部２７０の係止部２７２が阻害部の機能を果たす。また、「スライド部２７０の周部２７１が、電源スイッチ５０の動きを阻害部（スライド部２７０の係止部２８２）に伝達し、電源スイッチ５０の動きに連動させて阻害部を動作させる連動部としての機能を果たす。
【００９９】
そして、この第３実施形態の分岐装置２２０も、例えばバスダクト２１０から取り外された状態において、作業者が図示しない遮断器の動作確認や試験をするため、電源スイッチ５０をＯＦＦ（開）からＯＮ（閉）、又はＯＮ（閉）からＯＦＦ（開）に動かすような場合であっても、係止部２７２の状態や他の部材の状態に関わらず電源スイッチ５０を自由に動かすことができるのは、上述の第１及び第２実施形態の場合と同様である。
【０１００】
このようにして、第３実施形態においても、遮断器の電源スイッチ５０が閉（ＯＮ）の状態で分岐装置２２０がバスダクト２１０に取り付けられたり、バスダクト２１０から取り外されたりすることが防止されると共に、例えば遮断器の電源スイッチ５０の動作確認や試験も何ら阻害されることなく自由に執り行うことができ、インターロック機能と使い勝手とを兼ね備えたバスダクトインターロック構造を提供することができるようになっている。
【０１０１】
かかる構成に加え、第３実施形態の分岐装置２２０は、分岐装置２２０の着脱が阻害される際（インターロック機能が発揮される際）に係止部２７２にかかる力の方向が、スライド部２７０が動く方向と略直交するようになっている。これにより分岐装置２２０は、着脱が阻害される際に係止部２７２にかかる力によって連動部であるスライド部２７０が勝手に動くことを防止できる。つまり、電源スイッチ５０が勝手に切り替わってしまうことを防止でき、インターロックとしての機能をより向上できる。
【０１０２】
尚、上述した第１及び第２実施形態において、各阻害部（係止部８２・係止部１８２・係止部２７２）は分岐装置２０や分岐装置２２０の着脱を阻害するだけの機能を有する場合について述べたが、本発明はこれに限らず、これら各阻害部（係止部８２・係止部１８２・係止部２７２）の動きによって分岐装置２０や分岐装置２２０をバスダクト１０やバスダクト２１０に固定するようにしても良い。
【０１０３】
具体的に言うならば、例えば第１実施形態の場合であれば、係止辺８２ｃに僅かな凹部を形成しておき、電源スイッチ５０をＯＮにした際に突起６０をこの係止辺８２ｃの凹部で把持するようにすれば、係止部８２によって分岐装置２０をバスダクト１０に固定することが可能である。
【０１０４】
また、第２実施形態の場合であれば、係止部１８２を水平ではなく斜め下に延設するようにして、電源スイッチ５０をＯＮにした際、この係止部１８２で第２補強部１１３ｂの下端縁を把持するようにすれば、係止部１８２によって分岐装置２０をバスダクト１０に固定することが可能である。
【０１０５】
以上、本実施形態（第１〜第３実施形態）のバスダクトシステムについて説明したが、本発明はこれに限定されず、本発明を実施できる範囲であれば、各実施形態や変形例の各構成を適宜変更した形態や、実施形態や変形例の各構成を部分的に抽出して構成した形態や、実施形態や変形例の各構成の一部又は全部を任意に抽出して組み合わせて構成した形態についても広く包含するものである。
【符号の説明】
【０１０６】
１０…バスダクト（バスダクト幹線）
１１…バスダクトユニット
１１１…絶縁被覆導体
１１１ａ…導体
１１２…パイプスペーサ
１１３…側板
１１３ａ…第１補強部（側板）
１１３ｂ…第２補強部（側板）
１１４ａ…ボルト
１１４ｂ…ナット
１１５…膨出側部
１２…接続ユニット
１２１…導電性接続部材
１２２…絶縁セパレータ
１２３…接続側板
１２４…押圧部材
１２５…絶縁スリーブ
１２６…締着具
３０…接続上下板
３１…プラグインホール
３２…基部（接続上下板）
３４…補強片（接続上下板）
３５…フック孔
４０…開閉扉
２０…分岐装置
ＣＢ…遮断器
Ｃ…接続導体
２２…箱体
２２ａ…底面
２２ｂ…側壁
２２ｃ…前壁
２２ｄ…後壁
２２ｅ…蓋体
２２ｆ、２２ｇ、２２ｈ…長孔
２２ｉ…状態表示開口
２２ｊ…台部
２２ｋ…開口
２３…分岐用端子
２３ａ…端子台
２４…取付フック
２５…第１固定部材
２６…第２固定部材
２７…第３固定部材
５０…電源スイッチ
６０…突起
７０…ハンドル
７１…基部
７２…側部
７３、７４…締結部材
８０…クランク
８１…基部
８２…係止部
８２ａ…底辺（係止部）
８２ａ１…水平辺部（係止部）
８２ａ２…斜辺部（係止部）
８２ｂ…凹部（係止部）
８２ｃ…係止辺
８３…突起
８５…接続片部
９０…ガイド
９１…ガイド溝
１７０…スライド部
１７１…開口
１７２…長孔
１７３…間座付ボルト
１８０…アーム
１８１…基部
１８２…係止部
１８３…取付部
２１０…バスダクト
２１１…基部
２１２…側部
２１３…補強部
２１４…プラグインホール
２１６…上側フランジ部
２１７…下側フランジ部
２３０…裸導体
２２０…分岐装置
２２２…箱体
２２２ａ…底面
２２２ｂ…側壁
２２２ｃ…前壁
２２２ｄ…後壁
２２２ｅ…上面
２２３…分岐用端子
２２３ａ…端子台
２７０…スライド部
２７１…周部
２７２…係止部
２７３…開口
【図１】
2020018111.tif 000003
【図２】
2020018111.tif 000004
【図３】
2020018111.tif 000005
【図４】
2020018111.tif 000006
【図５】
2020018111.tif 000007
【図６】
2020018111.tif 000008
【図７】
2020018111.tif 000009
【図８】
2020018111.tif 000010
【図９】
2020018111.tif 000011
【図１０】
2020018111.tif 000012
【図１１】
2020018111.tif 000013
【図１２】
2020018111.tif 000014
【図１３】
2020018111.tif 000015
【図１４】
2020018111.tif 000016
【図１５】
2020018111.tif 000017
【図１６】
2020018111.tif 000018
【図１７】
2020018111.tif 000019